(57)【特許請求の範囲】
【請求項１】
所定量のエポキシモールディングコンパウンドタブレットをプリベークする段階と、
ダイを利用して前記タブレットを加圧して所定厚さのエポキシモールディングコンパウンドパッド原型を成形する段階と、
前記エポキシモールディングコンパウンドパッド原型を冷却させる段階と、
前記エポキシモールディングコンパウンドパッド原型の厚さと内部にボイドが生成されたかを検査する段階と、
構成材料間の完全反応が行われるように前記エポキシモールディングコンパウンドパッド原型を硬化させる段階と、
前記エポキシモールディングコンパウンドパッド原型を所定大きさでソーイングする段階とを含むことを特徴とするエポキシモールディングコンパウンドパッドの製造方法。
【請求項２】
前記プリベークは, １分間進行されることを特徴とする請求項１記載のエポキシモールディングコンパウンドパッドの製造方法。
【請求項３】
前記成形段階は、１７０℃の温度で１分間進行されることを特徴とする請求項１記載のエポキシモールディングコンパウンドパッドの製造方法。
【請求項４】
前記成形段階は、４〜５回進行する時ごと前記ダイ表面にワックスを塗布することを特徴とする請求項１記載のエポキシモールディングコンパウンドパッドの製造方法。
【請求項５】
前記冷却は、エポキシモールディングコンパウンドパッド原型の上下部を加圧しながら行われることを特徴とする請求項１記載のエポキシモールディングコンパウンドパッドの製造方法。
【請求項６】
前記硬化段階は, １７０℃の温度で３時間にわたって進行されることを特徴とする請求項１記載のエポキシモールディングコンパウンドパッドの製造方法。
【請求項７】
前記ソーイング段階の前に前記エポキシモールディングコンパウンドパッド原型の裏面にエキスパンディングテープを付着する段階をさらに含むことを特徴とする請求項１記載のエポキシモールディングコンパウンドパッドの製造方法。
【請求項８】
前記エポキシモールディングコンパウンドパッド原型は、制御ＩＣの大きさより大きくソーイングされることを特徴とする請求項７記載のエポキシモールディングコンパウンドパッドの製造方法。
【請求項９】
前記エポキシモールディングコンパウンドパッド原型の厚さは０．３ｍｍであり、直径は１００ｍｍであることを特徴とする請求項１記載のエポキシモールディングコンパウンドパッドの製造方法。
【請求項１０】
重さ３．２〜３．８ｇの前記所定量のタブレットを用いて、直径が１００ｍｍ, 厚さが０．３ｍｍである前記エポキシモールディングコンパウンドパッド原型を製造することを特徴とする請求項１記載のエポキシモールディングコンパウンドパッドの製造方法。
【発明の詳細な説明】
【０００１】
【発明の属する技術分野】
本発明は、半導体パッケージ(Package)構造に係り、より詳細にはMOSFETと制御ＩＣが一つで統合された半導体パッケージで制御ＩＣをＥＭＣ(Epoxy Molding Compound)パッド(Pad)を介在してリードフレーム(Lead Frame)に付着した半導体パッケージ構造とエポキシモールディングコンパウンドパッドを製造する方法に関するものである。
【０００２】
【従来の技術】
電子製品の軽量薄形化によって半導体の部品数を減少させた高密度の実装パッケージの開発が進行されている。ＳＭＰＳ(Switched Mode Power Supply)もその中で一つの方法として、動作時の電力量と発熱量が多い半導体素子、即ち、パワートランジスタ(Power Transistor)で使用されるＭＯＳＦＥＴとこれを制御するためのＩＣを一つのパッケージに統合させて密封する。
【０００３】
これのためには、スイッチング素子（ＭＯＳＦＥＴ）と制御ＩＣがパッケージ内のワイヤボンディング(Wire Bonding)でコミュニケーション(Communication)されて、周辺部品の機能を制御ＩＣに挿入するように設計を補完して、スイッチング素子と制御ＩＣが一つのパッケージ内に搭載されるようにパッケージを開発する必要がある。
【０００４】
特にパッケージ開発において、制御ICはスイッチング素子であるＭＯＳＦＥＴのドレイン（Ｄｒａｉｎ）との短絡を防止するため絶縁接着剤を使用しなければならない。
従来このような絶縁性接着剤の絶縁耐圧を向上させるため多様な方法が提案されてきた。
【０００５】
図４，５，６は、各々、本願発明者により出願された従来の半導体パッケージの実施例を示す断面図である。
図４を参照すると、まず、ウェハ（Ｗａｆｅｒ）状態でウェハの後面に、窒化膜(ＳｉｘNｙ: 図示せず)、例えば、Ｓｉ３N４を２〜５ミクロン程度の厚さで塗布する。通常１回塗布時ごと１ミクロン程度の厚さを持つから、所望する厚さになるように塗布回数を加減する。
【０００６】
次に、前記ウェハを個別制御ＩＣ１で切断した後、ダイパッド（Ｄｉｅ  Ｐａｄ）５上にＭＯＳＦＥＴ２をソルダ(Solder)接着剤４で付着して制御ＩＣ１を絶縁エポキシ接着剤３を利用して付着した状態で、ＭＯＳＦＥＴ２と制御ＩＣ１との間と、ＭＯＳＦＥＴ２とインナリード(Inner Lead)との間及び制御ＩＣ１とインナリードとの間に金属ワイヤでワイヤボンディングした後、モールディング及びトリミング(Trimming)工程を経てパッケージを完成する。
【０００７】
図５を参照すると、リードフレームのダイパッド５上にはＭＯＳＦＥＴ２またはバイポーラ(Bipolar: TR)等のような電力素子と制御ＩＣ１が位置される。この時、電力素子がＭＯＳＦＥＴ２の場合、後面自体をドレインとして使用するから、導電性のソルダ接着剤４によりダイパッド５に付着されて、反面、制御ＩＣ１はダイパッド５と電気的に分離される必要があるから絶縁性エポキシ接着剤３によりダイパッド５に付着される。
【０００８】
また、制御ＩＣ１をダイパッド５に付着する接着剤は、固形の絶縁性ビード
(Bead)９が添加されて、固形の絶縁性ビード９によりエポキシ接着剤３の厚さが精密に調節されるから必要とする絶縁耐圧を持つ厚さで調節可能である。
図６の実施の形態は、セラミックパッド(Ceramic Pad)を利用した半導体パッケージで、制御ＩＣ１をダイパッド５に付着する前にセラミックパッド６をセラミックパッド用接着剤7を利用してダイパッド５に付着する。この時、セラミックパッド６は、Ａ１２０３のようなセラミック物質になった薄板で製作される。
前記セラミックパッド６を利用して制御ＩＣ１を、ダイパッド５と絶縁させることにより充分な絶縁耐圧が確保できる。
【０００９】
【発明が解決しようとする課題】
しかし, 図４の実施形態のようにウェハ後面に絶縁物質を塗布する構成では、塗布膜を厚く形成できず、チップをソーイングする場合、チップの側面に絶縁物質が付着されて絶縁耐圧が脆弱になる問題点があった。
また、図５のような構成では、ビードの材料として高温で高い絶縁耐圧を持
つ物質を製造するかボイドがない球形ビードの製作が困難であり、ビードを接
着剤に混合して提供する場合半導体製造業体ではビードが検査できないという問題点があった。
【００１０】
また、図６のような構成では、セラミックパッドの製造原価が高価であり、厚さが薄いから外部衝撃により破損しやすい問題点があった。
したがって、本発明の目的は、充分な絶縁耐圧が保持でき、既存の生産設備をそのまま利用して製造することにより低い製造費用で生産できる半導体パッケージ構造を提供することにある。
本発明の他の目的は、ＥＭＣパッドを利用して前記のような構造の半導体パッケージを製造する方法を提供することにある。
【００１１】
【課題を解決するための手段】
前記の目的を達成するための本発明による特徴によると, ダイパッド上に導電性接着剤を介在して付着された少なくとも一つ以上の第1半導体チップと、ダイパッド上に第１絶縁性接着剤を介在して付着された少なくとも一つ以上のエポキシモールディングコンパウンドパッドと、エポキシモールディングコンパウンドパッド上に第２絶縁性接着剤を介在して付着された第２半導体チップとを含む半導体パッケージ構造が開示される。
【００１２】
好ましくは、第１半導体チップはMOSFETであり、第１及び第２絶縁性接着剤はエポキシを含み、エポキシモールディングコンパウンドパッドの大きさは第２半導体チップより大きい。より好ましくは、エポキシモールディングコンパウンドパッドの大きさは第２半導体チップより四方に１ｍｍ程度さらに大きく形成される。
【００１３】
本発明の他の特徴によると、所定量のエポキシモールディングコンパウンドタブレットをプリベーク(PreーBake)する段階と、ダイを利用してタブレットを加圧して所定厚さのエポキシモールディングコンパウンドパッド原型を成形する段階と、エポキシモールディングコンパウンドパッド原型を冷却させる段階と、エポキシモールディングコンパウンドパッド原型の厚さと内部にボイドが生成されたかを検査する段階と、構成材料間の完全反応が行われるようにエポキシモールディングコンパウンドパッド原型を硬化させる段階と、エポキシモールディングコンパウンドパッド原型を所定大きさでソーイングする段階とを含むエポキシモールディングコンパウンドパッドの製造方法が開示される。
【００１４】
好ましくは、タブレットの成形条件は１７０℃の温度で1分間行われて、成形段階を４〜５回進行する時ごとにダイ表面にワックス(Wax)が塗布される。
また、冷却はエポキシモールディングコンパウンドパッド原型の上下部を加圧しながら行われることが好ましい。
好ましくは、ソーイング段階の前にエポキシモールディングコンパウンドパッド原型の裏面にエキスパンディングテープを付着する段階がさらに包含されて、より好ましくは、硬化は１７０℃前後で３時間にわたって進行される。
【００１５】
一方、エポキシモールディングコンパウンドパッド原型は、制御ＩＣの大きさより大きくソーイングされて、直径が１００ｍｍ、 厚さが０．３ｍｍである前記エポキシモールディングコンパウンドパッド原型を製造する場合、前記所定量のタブレットの重さは、３．２〜３．８ｇであることが好ましい。
【００１６】
【発明の実施の形態】
以下、 添附図面を参照して本発明による好ましい一実施の形態について詳細に説明する。
図１は、本発明による半導体パッケージを示す断面図である。
図示されるように、 リードフレームのダイパッド５上の一側にはＭＯＳＦＥＴまたはバイポーラトランジスタ等のような電力素子が実装させて、他方側にはＥＭＣパッド６’を介在して制御ＩＣ１が実装される。
【００１７】
これを具体的に説明すると、ＭＯＳＦＥＴ２は、導電性ソルダ接着剤４によりダイパッド５上の一側に付着されて、ＥＭＣ樹脂をモールディングして、薄い、例えば、０．３ｍｍ程度で製作されたＥＭＣパッド６’かＥＭＣパッド用接着剤７’を用いてダイパッド５上の他側に付着されている。この時、ＥＭＣパッド６’の大きさは制御ＩＣ１より多少大きく、ＥＭＣパッド用接着剤７’は通常エポキシまたはポリイミド系の絶縁性接着剤である。また、制御ＩＣ１は、エポキシ絶縁性接着剤３を介在してＥＭＣパッド６上に付着される。以後、ＭＯＳＦＥＴ２と制御ＩＣ１は、ワイヤ１０でボンディングされてモールディング及びトリミング工程を経て半導体パッケージが完成される。
【００１８】
図２（ａ）は、本発明による半導体パッケージを製造する方法を示すフローチャート、図２（ｂ）は、本発明による半導体パッケージを製造するため使用されるＥＭＣパッドを製造する方法を示すフローチャート、図３は本発明によるエポキシモールディングコンパウンドプレートを製作するための装置を示す構造図である。
図２（ａ）を参照すると、リードフレームのダイパッド５上の一側に電力素子、例えば、ＭＯＳＦＥＴ２を導電性のソルダ接着剤４を利用して付着して（Ｓ１０）、ダイパッド５上の他側にＥＭＣパッド６’を絶縁性接着剤７’、例えば、エポキシまたはポリイミード係の接着剤を利用して付着する（Ｓ２０）。この時、ＥＭＣパッド６’は他の工程を通して製造された状態で既存のダイボンダー(Die Bonder)を利用してダイパッド５上に移送して付着する。ＥＭＣパッド６’を製造する方法については後述する。
【００１９】
次に、制御ＩＣ１をエポキシ絶縁性接着剤３を介在してＥＭＣパッド６’上に付着した後（Ｓ３０）、ＭＯＳＦＥＴ２と制御ＩＣ１をワイヤ１０を利用してボンディングして（Ｓ４０）、全体をエポキシ樹脂でモールディングして（Ｓ５０）、トリミングして（Ｓ６０）半導体パッケージを完成する。
以下、図２（ｂ）及び図３を参照して本発明の半導体パッケージを製造するため使用されるＥＭＣパッドを製造する方法について説明する。
まず、所望する厚さ及び直径のＥＭＣパッド原型を製作するため前記厚さ及び直径を考慮した所定量のタブレット(Tablet)を電子レンジ等を利用して約１分程度プリベークする（Ｓ１２０）。この時、タブレットの重量は、例えば、直径１００ｍｍ、厚さ０．３ｍｍで、ＥＭＣパッド原型を製造する場合には約３．２〜３．８ｇが適切である。
【００２０】
また、好ましくは、タブレットはダイアタッチ(Die Attach)時にピックアップ(Pick Up)を容易にするため白色着色剤が使用できる。
次に、タブレットを金型の下部ダイ１２上に位置させて上部ダイ１１を加圧して所定の形状で、例えば、本発明の実施の形態によるとウェハと同一な形状で成形する（Ｓ１２２）。
【００２１】
図３に図示されるように、ヒーター(Heater)１４が内蔵された下部ダイ１２の中央には、可動ダイ１９がスプリング(Spring)１６により支持されて、平時には可動ダイ１９の表面と下部ダイ１２の表面が一致して、タブレットを位置させて加圧すると可動ダイ１９が下部に押されて可動ダイ１９の表面と下部ダイ１２の側面とでなるタブレット挿入用溝１５が形成されてタブレットは前記溝に挿入される。また、加圧を解除するとスプリング１６により可動ダイ１９が上部に移動してＥＭＣパッド原型が下部ダイ１２の外側に引出される。未説明符号１７，１８は、各々、上部ダイ及び下部ダイ固定用ベース(Base)、符号２０は支持台を、符号１３は上部ダイ内に内蔵されたヒーターを示す。この時、成形条件は１７０℃の温度で１分程度にわたって行われる。上下部ダイ１１・１２を頻繁に開閉するとＥＭＣパッド６’がダイに付着される現象が発生するから、４〜５回の作業後にはダイ表面にワックスを塗布することが好ましい。
【００２２】
次に、ＥＭＣパッド原型を冷却させる（Ｓ１２４）。この時、ＥＭＣパッド原型が冷却されながら曲げる(Warpage)ことを防止するためＥＭＣパッド原型の上下部を加圧しながら冷却する。
次に、形成されたＥＭＣパッド原型の厚さが均一であるか、または、ＥＭＣパッド原型内にボイドが生成されたかを検査する（Ｓ１２６）。好ましくは、製作するＥＭＣパッド原型の厚さは０．３ｍｍ、直径は１００ｍｍ程度である。
【００２３】
次に、ＥＭＣパッド原型をＥＭＣの構成材料間の完全反応が行われるように１７０℃前後の温度で３時間程度硬化させる（Ｓ１２８）。
次に、ＥＭＣパッド原型の裏面にウェハのような形状のエキスパンディングテープ(Expanding Tape)を付着した後、ＥＭＣパッド原型を所定大きさでソーイングする（Ｓ１３０）。この時、ソーイングされるＥＭＣパッドは制御ＩＣの大きさより多少大きくする。
【００２４】
このように製作されたＥＭＣパッド６’に対して信頼性検査を実施した結果、ＨＴＲＢ(High Temp. Reverse Bias)テストで、パッケージに８００Ｖの電圧を印加して１２５℃温度で５００時間放置した場合でも、絶縁破壊は全く発生しなかった。
以上のように製作されたＥＭＣパッド６’は、前記パッケージを組立する工程中にダイパッド５に移送されて付着される。
【００２５】
【発明の効果】
以上のように本発明によると, 半導体パッケージのダイパッド上にＥＭＣパッドを介在して制御ＩＣを付着することにより、薄くても充分な絶縁耐圧が保蔵でき、破損されない利点がある。また、従来と同じ既存の生産設備をそのまま利用して製造することにより製造費用が低減される効果がある。
【図面の簡単な説明】
【図１】  本発明の一実施の形態として示した半導体パッケージを示す断面図である。
【図２】  図２は、本発明の一実施の形態として示した半導体パッケージを製造するための手順を示すフローチャートとエポキシモールディングコンパウンドパッドを製作するための手順を示すフローチャートとを示すものである。
【図３】  本発明のエポキシモールディングコンパウンドプレートを製作するための装置を示す構造図である。
【図４】  従来の半導体パッケージを示す断面図である。
【図５】  従来の半導体パッケージの他の例を示す断面図である。
【図６】  従来の半導体パッケージの他の例を示す断面図である。
【符号の説明】
１  制御ＩＣ
２  ＭＯＳＦＥＴ
３  絶縁性エポキシ接着剤
４  導電性ソルダ接着剤
５  ダイパッド
６  セラミックパッド
６’ＥＭＣパッド
７  セラミックパッド用接着剤
７’ＥＭＣパッド用接着剤
９  絶縁性ビード
１０  ワイヤ
１１  上部ダイ
１２  下部ダイ
１４  ヒーター
１５  タブレット挿入用溝
１６  スプリング
１９   可動ダイ
【図１】
0003729628.tif 000002
【図２】
0003729628.tif 000003
【図３】
0003729628.tif 000004
【図４】
0003729628.tif 000005
【図５】
0003729628.tif 000006
【図６】
0003729628.tif 000007